(57)【要約】【課題】  静電容量検出用の電極部を簡単に設けることができるようにする。【解決手段】  時計ガラス２が設けられた腕時計ケース１内に収納された時計モジュール３が、静電容量の変化を検出する検出回路を有する回路基板７と、時計ムーブメント１２と、この時計ムーブメント１２の指針１２ｂが上方を運針する文字板１１とを備え、この文字板１１に静電容量検出用の電極部１３〜１６を回路基板７の検出回路と電気的に接続させて設ける。従って、文字板１１に電極部１２〜１５を簡単に設けることができるほか、この電極部１３〜１６に対応する時計ガラス２の外表面に指を接触させると、電極部１３〜１６に静電容量が結合され、その静電容量の変化を検出回路で検出することにより、タッチスイッチ信号を得ることができる。【選択図】        図２
2007170995.tif 000002
【特許請求の範囲】
【請求項１】
機器ケースと、
この機器ケース内に収納されたモジュールと、
このモジュールに設けられて少なくとも静電容量の変化を検出する検出回路を有する回路基板と、
前記モジュールに設けられて情報を表示する表示部と、
前記機器ケースに設けられて前記表示部を覆う保護ガラスと、
この保護ガラスと前記表示部との間に設けられた透明部材と、
この透明部材に設けられて前記回路基板の前記検出回路と電気的に接続された透明な静電容量検出用の電極部と、
を備えたことを特徴とする電子機器。
【請求項２】
前記電極部が一面に設けられた前記透明部材の他面には、太陽電池素子が設けられていることを特徴とする請求項１に記載の電子機器。
【請求項３】
機器ケースと、
この機器ケース内に収納されたモジュールと、
このモジュールに設けられて少なくとも静電容量の変化を検出する検出回路を有する回路基板と、
前記モジュールに設けられて情報を表示する電気光学的表示装置と、
前記機器ケースに設けられて前記電気光学的表示装置を覆う保護ガラスと、
前記電気光学的表示装置にその表示用の電極以外に設けられて前記回路基板の前記検出回路と電気的に接続された透明な静電容量検出用の電極部と、
を備えたことを特徴とする電子機器。
【請求項４】
機器ケースと、
この機器ケース内に収納されたモジュールと、
このモジュールに設けられて少なくとも静電容量の変化を検出する検出回路を有する回路基板と、
前記モジュールに設けられて情報を表示する表示部と、
この表示部の周囲に設けられた枠状の見切り部材と、
この見切り部材の下面に設けられて前記回路基板の前記検出回路と電気的に接続された静電容量検出用の電極部と、
を備えたことを特徴とする電子機器。
【請求項５】
前記電極部は、複数箇所に設けられてそれぞれ前記回路基板の前記検出回路と電気的に接続されていることを特徴とする請求項１〜４のいずれかに記載の電子機器。
【請求項６】
時計ガラスが設けられた時計ケースと、
この時計ケース内に収納された時計モジュールと、
この時計モジュールに設けられて少なくとも静電容量の変化を検出する検出回路を有する回路基板と、
前記時計モジュールに設けられて指針を運針する時計ムーブメントと、
前記時計ケース内に設けられて前記指針が上方で運針する合成樹脂製の文字板と、
この文字板に設けられて前記回路基板の前記検出回路と電気的に接続された静電容量検出用の電極部と、
を備えたことを特徴とする電子時計。
【請求項７】
時計ケースと、
この時計ケース内に収納された時計モジュールと、
この時計モジュールに設けられて少なくとも静電容量の変化を検出する検出回路を有する回路基板と、
前記時計モジュールに設けられた時刻表示部と、
この時刻表示部の周囲に設けられた枠状の見切り部材と、
この見切り部材の下面に設けられて前記回路基板の前記検出回路と電気的に接続された静電容量検出用の電極部と、
を備えたことを特徴とする電子時計。
【請求項８】
少なくとも外表面が金属で形成された時計ケースと、
この時計ケース内に収納された時計モジュールと、
この時計モジュールに設けられて少なくとも静電容量の変化を検出する検出回路を有する回路基板と、
前記時計ケースの内部側面に設けられて一部が前記時計ケースの外部に露出する樹脂部材と、
この樹脂部材の内周面に設けられて前記回路基板の前記検出回路と電気的に接続された静電容量検出用の電極部と、
を備えたことを特徴とする電子時計。
【請求項９】
時計ケースと、
この時計ケース内に収納された時計モジュールと、
この時計モジュールに設けられて少なくとも静電容量の変化を検出する検出回路を有する回路基板と、
前記時計ケースに取り付けられた合成樹脂製のバンドと、
このバンド中に埋設されて前記回路基板の前記検出回路と電気的に接続された静電容量検出用の電極部と、
を備えたことを特徴とする電子時計。
【請求項１０】
時計ケースと、
この時計ケース内に収納された時計モジュールと、
この時計モジュールに設けられて少なくとも静電容量の変化を検出する検出回路を有する回路基板と、
前記時計ケースの外面に設けられた合成樹脂製の外装部材と、
この外装部材の内面側に設けられて前記回路基板の前記検出回路と電気的に接続された静電容量検出用の電極部と、
を備えたことを特徴とする電子時計。
【請求項１１】
前記外装部材は、軟質合成樹脂で形成されていることを特徴とする請求項１０に記載の電子時計。
【請求項１２】
前記電極部は、複数箇所に設けられてそれぞれ前記回路基板の前記検出回路と電気的に接続されていることを特徴とする請求項６〜１１のいずれかに記載の電子時計。
【請求項１３】
時計ケースと、この時計ケース内に収納された時計モジュールと、この時計モジュールに設けられて少なくとも静電容量の変化を検出する検出回路を有する回路基板と、前記時計ケースに設けられた導電性を有する外部操作部材とを備え、
この外部操作部材に結合される静電容量の変化を前記回路基板の前記検出回路で検出することを特徴とする電子時計。
【請求項１４】
前記外部操作部材は、前記時計ケースに設けられた押釦スイッチであることを特徴とする請求項１３に記載の電子時計。
【請求項１５】
前記外部操作部材は、前記時計ケースに設けられて前記時計モジュールに搭載された時計ムーブメントの指針を運針させて時刻を修正するリューズであることを特徴とする請求項１３に記載の電子時計。
【請求項１６】
時計ケースと、この時計ケース内に収納された時計モジュールと、この時計モジュールに設けられて少なくとも静電容量の変化を検出する検出回路を有する回路基板と、前記時計ケースに取り付けられた合成樹脂製のバンドと、このバンドの先端部に設けられた導電性を有する尾錠と、この尾錠に接続されて前記バンド中に埋設された電極線とを備え、
前記尾錠に結合される静電容量の変化を前記回路基板の前記検出回路で検出することを特徴とする電子時計。
【発明の詳細な説明】
【技術分野】
【０００１】
この発明は、電子腕時計、携帯電話機、ＰＤＡ（パーソナル・デジタル・アシスタント）などの電子機器、および電子腕時計などの電子時計に関する。
【背景技術】
【０００２】
例えば、電子機器である電子腕時計においては、特許文献１に記載されているように、金属製の時計ケース内に時計モジュールを収納する共に、時計ケースの上部に時計ガラスを設け、この時計ガラスの裏面にタッチスイッチ用の透明電極を設け、時計モジュールにタッチスイッチの静電容量変化を検出する検出素子を設け、この検出素子に時計ガラスの透明電極を接続することにより、金属製の時計ケースをタッチスイッチの一方の電極とし、時計ガラスの裏面に設けられた透明電極をタッチスイッチの他方の電極とする容量素子を構成し、この状態で時計ガラスに指などの人体の一部を接触させたときに、容量素子の静電容量変化を検出素子によって検出してスイッチ信号を取り出すタッチスイッチを備えたものがある。
【特許文献１】実開昭５２−１６４５６５号
【発明の開示】
【発明が解決しようとする課題】
【０００３】
しかしながら、このような従来の電子腕時計では、タッチスイッチの一方の電極である透明電極を時計ガラスの裏面に設ける場合、ＩＴＯなどの透明な導電材料を蒸着やスパッタリングによって時計ガラスの裏面に堆積させることにより、時計ガラスの裏面に透明な導電膜を形成し、この透明な導電膜をエッチングによって所定形状の透明な電極に形成しなければならないため、透明な電極を時計ガラスに形成する作業が煩雑で面倒であるという問題がある。
【０００４】
また、このような従来の電子腕時計では、タッチスイッチの一方の電極である透明電極が時計ガラスの裏面に設けられているため、時計ケース内に収納された時計モジュールの検出素子と時計ガラスの裏面の透明電極とを電気的に接続する場合、検出素子と透明電極との間に接続部材を設けなければ、両者を電気的に接続することができないので、接続構造が複雑で、接続作業も面倒であるという問題がある。
【０００５】
特に、時計ガラスの裏面の透明電極と時計モジュールの検出素子とを電気的に接続する場合には、その接続部分が時計ガラスを通して外部から見えてしまうため、時計ケースの外面にベゼルなどの外装カバーを設け、この外装カバーを時計ガラスの外周縁から中心部に向けて突出させることにより、時計ガラスの裏面の透明電極と時計モジュールの検出素子との接続部分を隠す必要がある。このため、時計ケース内に組み込まれた表示部の一部が外装カバーによって隠れてしまい、外部から見える表示部の表示面積が狭くなり、十分な表示面積を確保することができないという問題もある。
【０００６】
この発明が解決しようとする第１の課題は、静電容量検出用の電極部を簡単に設けることができる電子機器および電子時計を提供することである。
また、この発明の第２の課題は、電極部と回路基板との接続部分によって表示部の表示面積が制約を受けないようにすることができる電子機器および電子時計を提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
【０００８】
請求項１に記載の発明は、図１〜図１１に示すように、合成樹脂製の機器ケース（腕時計ケース１）と、この機器ケース内に収納されたモジュール（時計モジュール３、４０）と、このモジュールに設けられて少なくとも静電容量の変化を検出する検出回路を有する回路基板（７）と、前記モジュールに設けられて情報を表示する表示部（時計ムーブメント１２または表示パネル４２）と、前記機器ケースに設けられて前記表示部を覆う保護ガラス（時計ガラス２）と、この保護ガラスと前記表示部との間に設けられた透明部材（文字板１１、３０、透明部材４１）と、この透明部材に設けられて前記回路基板の前記検出回路と電気的に接続された透明な静電容量検出用の電極部（１３〜１６）と、を備えたことを特徴とする電子機器である。
【０００９】
請求項２に記載の発明は、図６〜図９に示すように、前記電極部（１３〜１６）が一面に設けられた前記透明部材（文字板３０）の他面に、太陽電池素子（３１）が設けられていることを特徴とする請求項１に記載の電子機器である。
【００１０】
請求項３に記載の発明は、図１２〜図１４に示すように、機器ケース（腕時計ケース１）と、この機器ケース内に収納されたモジュール（時計モジュール４０）と、このモジュールに設けられて少なくとも静電容量の変化を検出する検出回路を有する回路基板（７）と、前記モジュールに設けられて情報を表示する電気光学的表示装置（液晶表示装置４６）と、前記機器ケースに設けられて前記電気光学的表示装置を覆う保護ガラス（時計ガラス２）と、前記電気光学的表示装置にその表示用の電極（セグメント電極５０およびコモン電極５２）以外に設けられて前記回路基板の前記検出回路と電気的に接続された透明な静電容量検出用の電極部（１３〜１６）と、を備えたことを特徴とする電子機器である。
【００１１】
請求項４に記載の発明は、図１５および図１６に示すように、合成樹脂製の機器ケース（腕時計ケース１）と、この機器ケース内に収納されたモジュール（時計モジュール４０）と、このモジュールに設けられて少なくとも静電容量の変化を検出する検出回路を有する回路基板（７）と、前記モジュールに設けられて情報を表示する表示部（表示パネル４２）と、この表示部の周囲に設けられた枠状の見切り部材（５７）と、この見切り部材の下面に設けられて前記回路基板の前記検出回路と電気的に接続された静電容量検出用の電極部（５８）と、を備えたことを特徴とする電子機器である。
【００１２】
請求項５に記載の発明は、図１〜図１６に示すように、前記電極部（１３〜１６、５８）が、複数箇所に設けられてそれぞれ前記回路基板（７）の前記検出回路と電気的に接続されていることを特徴とする請求項１〜４のいずれかに記載の電子機器である。
【００１３】
請求項６に記載の発明は、図１〜図９に示すように、時計ガラス（２）が設けられた時計ケース（腕時計ケース１）と、この時計ケース内に収納された時計モジュール（３）と、この時計モジュールに設けられて少なくとも静電容量の変化を検出する検出回路を有する回路基板（７）と、前記時計モジュールに設けられて指針（１２ｂ）を運針する時計ムーブメント（１２）と、前記時計ケース内に設けられて前記指針が上方で運針する合成樹脂製の文字板（１１、３０）と、この文字板に設けられて前記回路基板の前記検出回路と電気的に接続された静電容量検出用の電極部（１３〜１６）と、を備えたことを特徴とする電子時計である。
【００１４】
請求項７に記載の発明は、図１５および図１６に示すように、時計ケース（腕時計ケース１）と、この時計ケース内に収納された時計モジュール（４０または３）と、この時計モジュールに設けられて少なくとも静電容量の変化を検出する検出回路を有する回路基板（７）と、前記時計モジュールに設けられた時刻表示部（表示パネル４２または時計ムーブメント１２）と、この時刻表示部の周囲に設けられた枠状の見切り部材（５７）と、この見切り部材の下面に設けられて前記回路基板の前記検出回路と電気的に接続された静電容量検出用の電極部（５８）と、を備えたことを特徴とする電子時計である。
【００１５】
請求項８に記載の発明は、図１７および図１８に示すように、少なくとも外表面が金属で形成された時計ケース（腕時計ケース６０）と、この時計ケース内に収納された時計モジュール（４０）と、この時計モジュールに設けられて少なくとも静電容量の変化を検出する検出回路を有する回路基板（７）と、前記時計ケース（腕時計ケース６０の金属製の外部ケース６２）の内部側面に設けられて一部が前記時計ケースの外部に露出する樹脂部材（内部ケース６１）と、この樹脂部材の内周面に設けられて前記回路基板の前記検出回路と電気的に接続された静電容量検出用の電極部（電極板６３）と、を備えたことを特徴とする電子時計である。
【００１６】
請求項９に記載の発明は、図２５に示すように、時計ケース（腕時計ケース１）と、この時計ケース内に収納された時計モジュール（３または４０）と、この時計モジュールに設けられて少なくとも静電容量の変化を検出する検出回路を有する回路基板（７）と、前記時計ケースに取り付けられた合成樹脂製のバンド（時計バンド８０）と、このバンド中に埋設されて前記回路基板の前記検出回路と電気的に接続された静電容量検出用の電極部（８１）と、を備えたことを特徴とする電子時計である。
【００１７】
請求項１０に記載の発明は、図２３および図２４に示すように、時計ケース（腕時計ケース１）と、この時計ケース内に収納された時計モジュール（４０または３）と、この時計モジュールに設けられて少なくとも静電容量の変化を検出する検出回路を有する回路基板（７）と、前記時計ケースの外面に設けられた合成樹脂製の外装部材（ベゼル７５）と、この外装部材の内面に設けられて前記回路基板の前記検出回路と電気的に接続された静電容量検出用の電極部（７６）と、を備えたことを特徴とする電子時計である。
【００１８】
請求項１１に記載の発明は、図２３および図２４に示すように、前記外装部材（ベゼル７５）が、軟質合成樹脂で形成されていることを特徴とする請求項１０に記載の電子時計である。
【００１９】
請求項１２に記載の発明は、図１〜図１４、図２３、図２４、および図２５に示すように、前記電極部（１３〜１６、５８、７６、８１、および電極板６３）が、複数箇所に設けられてそれぞれ前記回路基板（７）の前記検出回路と電気的に接続されていることを特徴とする請求項６〜１１のいずれかに記載の電子時計である。
【００２０】
請求項１３に記載の発明は、図１９〜図２２に示すように、時計ケース（腕時計ケース１）と、この時計ケース内に収納された時計モジュール（３または４０）と、この時計モジュールに設けられて少なくとも静電容量の変化を検出する検出回路を有する回路基板（７）と、前記時計ケースに設けられた導電性を有する外部操作部材（押釦スイッチ６５、リューズ７０）とを備え、この外部操作部材に結合される静電容量の変化を前記回路基板の前記検出回路で検出することを特徴とする電子時計である。
【００２１】
請求項１４に記載の発明は、図１９および図２０に示すように、前記外部操作部材が、前記時計ケース（腕時計ケース１）に設けられた押釦スイッチ（６５）であることを特徴とする請求項１３に記載の電子時計である。
【００２２】
請求項１５に記載の発明は、図２１および図２２に示すように、前記外部操作部材が前記時計ケース（腕時計ケース１）に設けられて前記時計モジュール（３）に搭載された時計ムーブメント（１２）の指針（１２ｂ）を運針させて時刻を修正するリューズ（７０）であることを特徴とする請求項１３に記載の電子時計である。
【００２３】
請求項１６に記載の発明は、図２６に示すように、時計ケース（腕時計ケース１）と、この時計ケース内に収納された時計モジュール（３または４０）と、この時計モジュールに設けられて少なくとも静電容量の変化を検出する検出回路を有する回路基板（７）と、前記時計ケースに取り付けられた合成樹脂製のバンド（時計バンド８０）と、このバンドの先端部に取り付けられた導電性を有する尾錠（８５）と、この尾錠に接続されて前記バンド中に埋設された電極線（８６）とを備え、前記尾錠に結合される静電容量の変化を前記回路基板の前記検出回路で検出することを特徴とする電子時計である。
【発明の効果】
【００２４】
請求項１に記載の発明によれば、機器ケース内に収納されたモジュールが、少なくとも静電容量の変化を検出する検出回路を有する回路基板と、情報を表示する表示部とを備え、機器ケースに表示部を覆う保護ガラスを設け、この保護ガラスと表示部との間に透明部材を設け、この透明部材に透明な静電容量検出用の電極部を回路基板の検出回路と電気的に接続して設けたので、透明な電極部に対応する保護ガラスの外表面に、指などの人体の一部を接触させると、電極部に結合される静電容量の変化が回路基板の検出回路で検出されることにより、タッチスイッチ信号を得ることができる。
【００２５】
この場合、保護ガラスと表示部との間に設けられた透明部材に、静電容量検出用の透明な電極部を設けているので、透明部材として、透明な電極部を形成しやすい透明なフィルム、または太陽電池素子を搭載するガラスなどを用いることができ、このため従来例のように時計ガラスの裏面に透明電極を形成する場合に比べて、透明な電極部を容易に形成することができる。また、透明部材を文字板として用いる場合には、透明部材の透明な電極部と回路基板の検出回路との接続部分を、従来例のようなベゼルなどの外装カバーによって隠す必要がなく、例えば機器ケースの見切り部などで隠すことができる。このため、透明部材の電極部と回路基板の検出回路との接続部分によってモジュールの表示部の表示面積が制約を受けることがないので、十分な広さの表示面積を確保することができる。
【００２６】
請求項２に記載の発明によれば、静電容量検出用の電極部が一面に設けられた透明部材の他面に、太陽電池素子が設けられていることにより、この太陽電池素子の透明電極を形成するときに、透明な静電容量検出用の電極部をも同様に形成することができると共に、この太陽電池素子と回路基板とを電気的に接続するときに、これと同時に透明部材に設けられた透明な電極部をも回路基板と電気的に接続することができる。このため、透明部材に透明な静電容量検出用の電極部を設けても、電極部の形成作業および接続作業の簡素化を図ることができる。また、静電容量検出用の電極部と回路基板との接続部分を太陽電池素子によって隠すことができるので、接続部分によって表示部の表示面積が制約を受けることがなく、十分な広さの表示面積を確保することができると共に、太陽電池素子の受光面積をも十分な広さで確保することができる。
【００２７】
請求項３に記載の発明によれば、機器ケース内に収納されたモジュールが、少なくとも静電容量の変化を検出する検出回路を有する回路基板と、情報を表示する電気光学的表示装置とを備え、機器ケースに電気光学的表示装置を覆う保護ガラスを設け、電気光学的表示装置にその表示用の電極以外の透明な静電容量検出用の電極部を回路基板の検出回路と電気的に接続して設けたので、請求項１に記載の発明と同様、透明な電極部に対応する保護ガラスの外表面に、指などの人体の一部を接触させると、静電容量の変化が回路基板の検出回路で検出されることにより、タッチスイッチ信号を得ることができる。
【００２８】
この場合にも、電気光学的表示装置に透明な静電容量検出用の電極部を設けているので、電気光学的表示装置に表示用の透明電極を形成するときに、透明な静電容量検出用の電極部をも同様に形成することができ、これにより透明な静電容量検出用の電極部を容易に形成することができる。また、この電気光学的表示装置をモジュールの回路基板と電気的に接続するときに、これと同時に電気光学的表示装置に設けられた透明な静電容量検出用の電極部をも回路基板の検出回路と電気的に接続することができるので、透明な静電容量検出用の電極部と回路基板との接続作業も容易にできる。さらに、この電気光学的表示装置に透明な静電容量検出用の電極部を設けていることにより、この透明な電極部と回路基板の検出回路との接続部分を電気光学的表示装置によって保護ガラスを通して機器の外部から見えないように隠すことができるので、接続部分によってモジュールの表示部の表示面積が制約を受けることがなく、十分な広さの表示面積を確保できる。
【００２９】
請求項４に記載の発明によれば、機器ケース内に収納されたモジュールが、少なくとも静電容量の変化を検出する検出回路を有する回路基板と、情報を表示する表示部とを備え、表示部の周囲に設けられた枠状の見切り部材の下面に、静電容量検出用の電極部を回路基板の検出回路と電気的に接続して設けたので、請求項１に記載の発明と同様、見切り部材の外表面側に、指などの人体の一部を近づけることにより、電極部に結合される静電容量の変化が回路基板の検出回路で検出されることにより、タッチスイッチ信号を得ることができる。
【００３０】
この場合にも、見切り部材の下面に静電容量検出用の電極部を設けているので、従来例のように透明電極を時計ガラスの裏面に形成する場合に比べて、電極部を簡単に設けることができると共に、この電極部と検出回路とを電気的に接続する際、容易に接続することができる。また、電極部と回路基板の検出回路との接続部分を見切り部材によって機器の外部から見えないように隠すことができるので、接続部分によってモジュールの表示部の表示面積が制約を受けることがなく、十分な広さの表示面積を確保できる。
【００３１】
請求項５に記載の発明によれば、電極部が複数個設けられてそれぞれ回路基板の検出回路と電気的に接続されていることにより、複数の電極部のいずれかに対応する部分に、指などの人体の一部を接触させることにより、静電容量の変化を回路基板の検出回路で検出することができるので、タッチ操作性の良いものを得ることができる。
【００３２】
請求項６に記載の発明によれば、時計ガラスが設けられた時計ケース内に収納された時計モジュールが、少なくとも静電容量の変化を検出する検出回路を有する回路基板と、指針を運針する時計ムーブメントとを備え、時計ケース内に指針が上方で運針する合成樹脂製の文字板を設け、この文字板に静電容量検出用の電極部を回路基板の検出回路と電気的に接続して設けたので、請求項１に記載の発明と同様、文字板の電極部に対応する時計ガラスの外表面に、指などの人体の一部を接触させると、静電容量の変化が回路基板の検出回路で検出されることにより、タッチスイッチ信号を得ることができる。
【００３３】
この場合、文字板に静電容量検出用の電極部を設けていることにより、従来例のように透明電極を時計ガラスの裏面に形成する場合に比べて、電極部を簡単に設けることができると共に、文字板の電極部と回路基板の検出回路とを電気的に接続する際、その両者を容易に接続することができる。また、文字板に静電容量検出用の電極部を設けていることにより、文字板または時計ケース内の見切り部などによって文字板の電極部と回路基板との接続部分が時計ガラスを通して外部から見えないように隠すことができるので、接続部分によってモジュールの表示部の表示面積が制約を受けることがなく、十分な広さの表示面積を確保できる。
【００３４】
請求項７に記載の発明によれば、合成樹脂製の時計ケース内に収納された時計モジュールが、少なくとも静電容量の変化を検出する検出回路を有する回路基板と、時刻表示部とを備え、この表示部の周囲に設けられた枠状の見切り部材の下面に、静電容量検出用の電極部を回路基板の検出回路と電気的に接続して設けたので、請求項６に記載の発明と同様、静電容量検出用の電極部に対応する見切り部材の外表面側、例えば時計ガラスの外表面に、指などの人体の一部を接触させると、静電容量の変化が回路基板の検出回路で検出されることにより、タッチスイッチ信号を得ることができる。
【００３５】
この場合にも、見切り部材の下面に静電容量検出用の電極部を設けているので、従来例のように透明電極を時計ガラスの裏面に形成する場合に比べて、電極部を簡単に設けることができると共に、見切り部材の電極部と回路基板の検出回路とを電気的に接続する際、その両者を容易に接続することができる。また、見切り部材の下面に静電容量検出用の電極部を設けていることにより、この電極部と回路基板との接続部分が見切り部材によって時計ケースの外部から見えないように隠すことができるので、接続部分によってモジュールの表示部の表示面積が制約を受けることがなく、十分な広さの表示面積を確保できる。
【００３６】
請求項８に記載の発明によれば、少なくとも外表面が金属で形成された時計ケース内に収納された時計モジュールが、少なくとも静電容量の変化を検出する検出回路を有する回路基板を備え、時計ケースの内部側面に設けられて一部が時計ケースの外部に露出する樹脂部材の内周面に、静電容量検出用の電極部を回路基板の検出回路と電気的に接続して設けたので、請求項６に記載の発明と同様、静電容量検出用の電極部に対応する樹脂部材の外部に露出する一部の外表面に、指などの人体の一部を接触させると、静電容量の変化が回路基板の検出回路で検出されることにより、タッチスイッチ信号を得ることができる。
【００３７】
この場合にも、樹脂部材の内面に静電容量検出用の電極部を設けているので、従来例のように透明電極を時計ガラスの裏面に形成する場合に比べて、電極部を簡単に設けることができると共に、静電容量検出用の電極部を回路基板に接近させて配置することができるので、電極部と回路基板の検出回路とを電気的に接続する際、その両者を容易に接続することができる。また、樹脂部材の内面に静電容量検出用の電極部を設けていることにより、電極部と回路基板との接続部分が時計ガラスを通して時計ケースの外部から見えないので、接続部分を隠す必要がなく、このため接続部分によってモジュールの表示部の表示面積が制約を受けることがなく、十分な広さの表示面積を確保できる。
【００３８】
請求項９に記載の発明によれば、時計ケース内に収納された時計モジュールが、少なくとも静電容量の変化を検出する検出回路を有する回路基板を備え、時計ケースに取り付けられた合成樹脂製のバンド中に、静電容量検出用の電極部を回路基板の検出回路と電気的に接続して埋設しているので、外表面に、指などの人体の一部を接触させると、その静電容量の変化が回路基板の検出回路で検出されることにより、タッチスイッチ信号を得ることができる。
【００３９】
この場合にも、バンドに静電容量検出用の電極部を設けているので、従来例のように透明電極を時計ガラスの裏面に形成する場合に比べて、電極部をインサート成形などによって簡単に設けることができると共に、電極部と回路基板とを電気的に接続する際、その両者を容易に接続することができる。また、電極部と回路基板の検出回路との接続部分が外部から見えないので、接続部分を隠す必要がなく、このため接続部分によってモジュールの表示部の表示面積が制約を受けることがなく、十分な広さの表示面積を確保できる。
【００４０】
請求項１０に記載の発明によれば、時計ケース内に収納された時計モジュールが、少なくとも静電容量の変化を検出する検出回路を有する回路基板を備え、時計ケースの外面に設けられた合成樹脂製の外装部材の内面に、静電容量検出用の電極部を回路基板の検出回路と電気的に接続して設けたので、静電容量検出用の電極部に対応する外装部材の外表面に、指などの人体の一部を接触させると、静電容量の変化が回路基板の検出回路で検出されることにより、タッチスイッチ信号を得ることができる。
【００４１】
この場合にも、時計ケースの外面に設けられた合成樹脂製の外装部材の内面に、コンデンサの一方の電極である電極部を設けているので、従来例のように透明電極を時計ガラスの裏面に形成する場合に比べて、電極部を簡単に設けることができる。また、電極部と回路基板との接続部分を外装部材によって機器の外部から見えないように隠すことができるので、接続部分によってモジュールの表示部の表示面積が制約を受けることがなく、十分な広さの表示面積を確保できる。
【００４２】
請求項１１に記載の発明によれば、外装部材が軟質合成樹脂で形成されていることにより、従来例のように透明電極を時計ガラスの裏面に形成する場合に比べて、電極部を外装部材に容易に設けることができるほか、この外装部材を時計ケースに容易に取り付けることができると共に、この外装部材によって外部からの衝撃を吸収することができるので、時計ケースを良好に保護することができる。
【００４３】
請求項１２に記載の発明によれば、電極部が複数箇所に設けられてそれぞれ回路基板の検出回路と電気的に接続されていることにより、請求項５に記載の発明と同様、複数の電極部のいずれかに対応する部分に、指などの人体の一部を接触させることにより、静電容量の変化を回路基板の検出回路で検出することができるので、タッチ操作性の良いものを得ることができる。
【００４４】
請求項１３に記載の発明によれば、時計ケース内に収納された時計モジュールが、少なくとも静電容量の変化を検出する検出回路を有する回路基板を備え、時計ケースに導電性を有する外部操作部材を設け、この外部操作部材に結合される静電容量の変化を回路基板の検出回路で検出するので、静電容量検出用の外部操作部材に、指などの人体の一部を接触させると、静電容量の変化が回路基板の検出回路で検出され、タッチスイッチ信号を得ることができる。
【００４５】
この場合には、外部操作部材と回路基板とが非接触状態なので、従来例のように透明電極を時計ガラスの裏面に形成する必要がないばかりか、従来例のように透明電極と検出素子とを電気的に接続する必要もなく、接続部品および接続作業が不要であるから、接続構造が簡単で、生産性の向上を図ることができる。また、外部操作部材と回路基板との接続部分がないので、接続部分によるモジュールの表示部の表示面積が制約を受けることがなく、十分な広さの表示面積を確保できる。
【００４６】
請求項１４に記載の発明によれば、外部操作部材が時計ケースに設けられた押釦スイッチであることにより、請求項１３に記載の発明と同様の作用効果があるほか、特に押釦スイッチの押圧操作によるスイッチ信号と、押釦スイッチのタッチ操作によるタッチスイッチ信号との２種類の電気信号を１つの押釦スイッチで得ることができるので、多機能の押釦スイッチを得ることができる。
【００４７】
請求項１５に記載の発明によれば、外部操作部材が時計ケースに設けられて時計モジュールに搭載された時計ムーブメントの指針を運針させて時刻を修正するリューズであることにより、請求項１３に記載の発明と同様の作用効果があるほか、特にリューズの回転操作によって時刻を修正することができると共に、リュ―ズのタッチ操作によってタッチスイッチ信号をも得ることができるので、多機能のリューズを得ることができる。
【００４８】
請求項１６に記載の発明によれば、時計ケース内に収納された時計モジュールが、少なくとも静電容量の変化を検出する検出回路を有する回路基板を備え、時計ケースに取り付けられた合成樹脂製のバンドの先端部に導電性を有する静電容量検出用の尾錠を取り付け、この尾錠に接続された電極線をバンド中に埋設して、尾錠に結合される静電容量の変化を回路基板の検出回路で検出するので、静電容量検出用の尾錠に指などの人体の一部を接触させると、静電容量の変化が回路基板の検出回路で検出され、タッチスイッチ信号を得ることができる。
【００４９】
この場合にも、尾錠の電極線と回路基板とが非接触状態なので、請求項１３に記載の発明と同様、従来例のような接続部品および接続作業が不要であるから、接続構造が簡単で、生産性の向上を図ることができる。また、尾錠の電極線と回路基板との接続部分がないので、接続部分によるモジュールの表示部の表示面積が制約を受けることがなく、十分な広さの表示面積を確保できる。
【発明を実施するための最良の形態】
【００５０】
（実施形態１）
以下、図１〜図４を参照して、この発明を電子腕時計に適用した実施形態１について説明する。
図１はこの発明の電子腕時計の拡大正面図、図２は図１のＡ−Ａ矢視における拡大断面図である。この電子腕時計は、図１および図２に示すように、腕時計ケース１を備えている。腕時計ケース１は、金属または合成樹脂からなり、その上部中央に時計ガラス２がパッキン２ａを介して取り付けられ、内部に時計モジュール３が収納され、下部に裏蓋４が防水リング４ａを介して取り付けられた構成なっている。この場合、腕時計ケース１の上部外周には、ベゼル１９が設けられている。また、時計ガラス２の下側に位置する腕時計ケース１の内周面には、見切り部材２０が設けられている。
【００５１】
時計モジュール３は、上部ハウジング５と下部ハウジング６とを備えている。この上部ハウジング５と下部ハウジング６との間には、図２に示すように、回路基板７が配置されており、この回路基板７には、ＬＳＩ８および検出素子９などの時計機能に必要な各種の電子部品が搭載されている。この場合、検出素子９は、後述するタッチスイッチの静電容量の変化を検出するためのものである。また、下部ハウジング６には、電池１０が回路基板７に電気的に接続された状態で設けられている。
【００５２】
一方、上部ハウジング５の上面には、図２に示すように、合成樹脂製の文字板１１が配置されており、この上部ハウジング５の内部には、時計ムーブメント１２が設けられている。この時計ムーブメント１２は、その指針軸１２ａが文字板１１の貫通孔１１ａを通して上方に突出し、この突出した上端部に指針１２ｂが取り付けられ、この指針１２ｂが文字板１１の上方を運針するように構成されている。この場合、文字板１１の上面には、図１〜図３に示すように、複数の電極部１３〜１６が設けられている。この複数の電極部１３〜１６は、ＩＴＯなどの透明な導電性材料からなり、図１に示すように、１時と２時の間、４時と５時の間、７時と８時の間、１０時と１１時の間に対応してそれぞれ円形状に形成されている。
【００５３】
この場合、複数の電極部１３〜１６は、図１に示すように、その各接続配線１３ａ〜１６ａが文字板１１の９時側の側端面から下面に導かれ、この下面に導かれた端子部（図示せず）が図２に示すようにインターコネクタ１７によって回路基板７と電気的に接続されている。
【００５４】
次に、図４を参照して、この電子腕時計のタッチスイッチの回路構成について説明する。
複数の電極部１３〜１６とこれに対応する時計ガラス２の外表面との間にそれぞれタッチスイッチ用のコンデンサＣ１〜Ｃ４が形成され、複数の電極部１３〜１６に対応する箇所の時計ガラス２の外表面を指などの人体の一部で触ると、各コンデンサＣ１〜Ｃ４に静電容量が発生する。一方、静電容量の変化を検出する検出素子９の検出回路は、ＣＲ発振回路２１〜２４、カウンタ２５、タイマー２６、制御回路２７を備えている。そして、通常の状態、つまり指などの人体の一部がタッチ部１８に接触していない状態では、ＣＲ発振回路２１〜２４がそれぞれ内臓容量Ｃｉ１〜Ｃｉ４と内臓抵抗Ｒｉ１〜Ｒｉ４とで決まる周波数で発振する。
【００５５】
また、指などの人体の一部が、複数の電極部１３〜１６のうち、例えば図４において電極部１３に対応する箇所の時計ガラス２の外表面に接触すると、電極部１３と時計ガラス２の外表面との間のコンデンサＣ１に静電容量Ｃｔが発生する。また、このときには、人体とグランドＧ１とは静電容量Ｃｅで結合していると考えられるため、電極部２１には、電容量Ｃｔと静電容量Ｃｅとの合成容量が結合される。したがって、ＣＲ発振回路２１の静電容量Ｃは、ＣｔとＣｅの合成容量および内臓容量Ｃｉの並列容量となる。つまり、時計ガラス２の外表面を指で触ると、ＣＲ発振回路２１の静電容量Ｃは、ＣｔとＣｅの合成容量分が増え、周波数が遅くなる。この周波数の変化を拾うことで、電極部１３に対応するタッチ部１８に指が触れてタッチスイッチがオンしたと判断し、通常のキー入力と同じ動作に移る。
【００５６】
この場合、電極部１３以外の各電極部１４〜１６にそれぞれ対応する時計ガラス２の外表面を指などの人体の一部で触れたときも、上記と同様、ＣＲ発振回路２２〜２４の各静電容量Ｃはそれぞれ、ＣｔとＣｅの合成容量分が増え、周波数が遅くなる。この周波数の変化を拾うことで、各電極部１４〜１６に対応する箇所の時計ガラス２の外表面に指が触れてタッチスイッチがオンしたと判断し、通常のキー入力と同じ動作に移る。
【００５７】
また、ＣＲ発振回路２１〜２４の周波数を見るには、ＣＲ発振回路２１〜２４の出力をオアゲート２８を介してカウンタ２５に与え、一定時間の間にＣＲ発振回路２１〜２４の出力が何カウントするかを測定すればよい。このため、一定時間をタイマー２６で作り、ＣＲ発振回路２１〜２４の出力をカウンタ２５でカウントする。このときには、制御回路２７からの信号ａによってカウンタ２５がカウントを開始すると共にタイマー２６がスタートする。タイマー２６は一定時間カウントすると、信号ｂを出力してカウンタ２５のカウントを停止させる。そのときのカウンタ２５のデータが制御回路２７に読み込まれ、基準値と比較して小さいときに、キー入力信号ｃを出力する。
【００５８】
このように、この電子腕時計によれば、腕時計ケース１内に収納された時計モジュール３が、静電容量の変化を検出する検出回路を有する回路基板７と、指針１２ｂを有する時計ムーブメント１２とを備え、腕時計ケース１に時計ムーブメント１２の指針１２ｂを保護する時計ガラス２が設けられ、この時計ガラス２と時計ムーブメント１２との間に設けられた文字板１１に、複数の電極部１３〜１６が回路基板７の検出回路に電気的に接続されて設けたので、電極部１３〜１６に対応する箇所の時計ガラス２の外表面を指などの人体の一部で触れると、各電極部１３〜１６との間のいずれかに静電容量が結合され、その静電容量の変化を回路基板７の検出回路で検出することにより、タッチスイッチ信号を得ることができる。
【００５９】
この場合には、時計ガラス２と時計ムーブメント１２の間に設けられた合成樹脂製の文字板１１にコンデンサの一方の電極である複数の透明な電極部１３〜１６を設けているので、文字板１１の材料として、透明な電極部１３〜１６を形成しやすい合成樹脂材料を使用することにより、従来例のように透明電極を時計ガラスの裏面に形成する場合に比べて、電極部１３〜１６を容易に形成することができる。
【００６０】
また、文字板１１に形成された複数の電極部１３〜１６をインターコネクタ１７によって回路基板７と電気的に接続しているので、従来例のように時計ガラスの裏面に設けられた透明電極と検出素子とを電気的に接続する場合に比べて、文字板１１に設けられた複数の電極部１３〜１６と回路基板７とを容易に接続することができる。特に、複数の電極部１３〜１６が文字板１１に設けられているので、この複数の電極部１３〜１６と回路基板７との接続部分を文字板１１によって隠すことができる。このため、接続部分によって文字板１１の表示面積が制約を受けることがなく、十分な広さの表示面積を確保できる。
【００６１】
なお、上記実施形態１では、合成樹脂製の文字板１１の上面に複数の透明な電極部１３〜１６を設けた場合について述べたが、これに限らず、例えば図５に示す変形例のように、文字板１１の下面に複数の電極部１３〜１６を設けた構成でも良い。この場合には、複数の電極部１３〜１６をＩＴＯなどの透明な導電材料で形成する必要がなく、金属などの導電性材料で形成しても良い。このように構成すれば、実施形態１と同様の作用効果があるほか、特に複数の電極部１３〜１６を金属などの導電性材料で形成することができるので、複数の電極部１３〜１６を、より一層、文字板１１に容易に形成することができる。
【００６２】
（実施形態２）
次に、図６〜図８を参照して、この発明を電子腕時計に適用した実施形態２について説明する。この場合には、図１〜図４に示された実施形態１と同一部分に同一符号を付して説明する。
この電子腕時計は、腕時計ケース１内に収納された時計モジュール３の文字板３０に太陽電池素子３１を設けた構成で、これ以外は実施形態１とほぼ同じ構成になっている。
【００６３】
すなわち、時計モジュール３の文字板３０は、合成樹脂製のフィルムからなり、図７に示すように、その中心部分に設けられた貫通孔３０ａに時計ムーブメント１２の指針軸１２ａが挿入して上方に突出し、この突出した指針軸１２ａの上端部に指針１２ｂが取り付けられ、この指針１２ｂが文字板３０の上方を運針するように構成されている。この文字板３０の上面には、図８に示すように、太陽電池素子３１が設けられており、この文字板３０の下面には、実施形態１と同様、複数の電極部１３〜１６が設けられている。
【００６４】
この場合、太陽電池素子３１は、図８に示すように、文字板３０の上面に設けられた下部電極３１ａと、この下部電極３１ａの上面に設けられたアモルファスのシリコン層３１ｂと、このシリコン層３１ｂの上面に設けられたＩＴＯなどの透明な導電性材料からなる上部電極３１ｃとからなり、外部光が上部電極３１ｃを透過してシリコン層３１ｂに照射されると、起電力を発生するように構成されている。
【００６５】
この太陽電池素子３１は、図７に示すように、下部電極３１ａと上部電極３１ｃとが文字板３０の側端面から下面に導かれ、文字板３０の下面に導かれた各端子部（図示せず）がコイルばねなどの接続部材３２によって回路基板７と電気的に接続され、これにより外部光によって発生した起電力を下部ハウジング６に収納された充電可能な二次電池３３に供給するように構成されている。
【００６６】
また、この文字板３０の下面に設けられた複数の電極部１３〜１６は、図６に示すように、その各接続配線１３ａ〜１６ａが９時側に導かれ、インターコネクタ１７によって回路基板７と電気的に接続されている。この複数の電極部１３〜１６のいずれかに対応する箇所の時計ガラス２の外表面を指などの人体の一部で触ると、複数の電極部１３〜１６のいずれかに静電容量が結合されるように構成されている。なお、複数の電極部１３〜１６が接続された回路基板７の検出回路も、実施形態１と同じ回路構成になっている。
【００６７】
このような電子腕時計によれば、実施形態１と同様、文字板３０の下面の電極部１３〜１６に対応する箇所の時計ガラス２の外表面を指などの人体の一部で触れると、各電極部１３〜１６のいずれかに静電容量が発生し、その静電容量の変化を回路基板７の検出回路で検出することにより、タッチスイッチ信号を得ることができる。
【００６８】
この場合、文字板３０の下面に電極部１３〜１６を設けているので、電極部１３〜１６をＩＴＯなどの透明な導電性材料で形成する必要がなく、金属などの導電性材料で形成することができる。このため、電極部１３〜１６を容易に形成することができると共に、これら電極部１３〜１６と回路基板７とをインターコネクタ１７によって容易に接続することができる。また、文字板３０の下面に複数の電極部１３〜１６を設けていることにより、実施形態１と同様、複数の電極部１３〜１６と回路基板７との接続部分を文字板３０で隠すことができるので、接続部分によって文字板３０の表示面積が制約を受けることがなく、十分な広さの表示面積を確保することができる。
【００６９】
また、複数の電極部１３〜１６が下面に設けられた文字板３０の上面には、太陽電池素子３１が設けられているので、この太陽電池素子３１の下部電極３１ａを形成する際に、複数の電極部１３〜１６をも同様に形成することができると共に、この太陽電池素子３１と回路基板７とを電気的に接続するときに、これと同時に文字板３０に設けられた複数の電極部１３〜１６をも回路基板７と電気的に接続することができるので、文字板３０に静電容量検出用の電極部１３〜１６を設けても、その形成作業および接続作業の簡素化を図ることができる。
【００７０】
なお、上記実施形態２では、文字板３０の下面に複数の電極部１３〜１６を設け、この文字板３０の上面に太陽電池素子３１を設けた場合について述べたが、これに限らず、例えば図９に示す変形例のように、文字板３３をガラスなどの透明な絶縁性材料で形成し、この文字板３３の上面に複数の透明な電極部１３〜１６を設け、この文字板３３の下面に太陽電池素子３１を設けた構成でも良い。
【００７１】
この場合には、複数の電極部１３〜１６をＩＴＯなどの透明な導電材料で形成すれば良い。また、太陽電池素子３１は、文字板３３の下面にＩＴＯなどの透明な導電性材料からなる上部電極３１ｃを設け、この上部電極３１ｃの下面にアモルファスのシリコン層３１ｂを設け、このシリコン層３１ｂの下面に金属などの導電性材料からなる下部電極３１ａを設けた構成にすれば良い。このように構成しても、実施形態２とほぼ同様の作用効果がある。
【００７２】
（実施形態３）
次に、図１０および図１１を参照して、この発明を電子腕時計に適用した実施形態３について説明する。この場合にも、図１〜図４に示された実施形態１と同一部分に同一符号を付して説明する。
この電子腕時計は、腕時計ケース１の内部に収納された時計モジュール４０が実施形態１と異なる構成であるほか、この時計モジュール４０と時計ガラス２との間に透明部材４１を設けた構成で、これ以外は実施形態１とほぼ同じ構成なっている。
【００７３】
この時計モジュール４０は、図１１に示すように、上部ハウジング５に表示パネル４２を配置し、この表示パネル４２をインターコネクタ４３によって上部ハウジング５と下部ハウジング６との間に配置された回路基板７と電気的に接続した構成で、これ以外は実施形態１とほぼ同じ構成になっている。この場合、表示パネル４２は、液晶表示素子、ＥＬ（エレクトロ・ルミネッセンス）素子、電子ペーパー（微細なカプセルをフィルムに敷き詰め、カプセル内の黒と白の微粒子を電気で移動させて文字や絵などの情報を表示するものである）などの平面型の表示素子からなり、時刻などの情報を電気光学的に表示するように構成されている。
【００７４】
透明部材４１は、透明なフィルムからなり、図１１に示すように、時計ガラス２の下面に対応した状態で腕時計ケース１の内周面に設けられた鍔部１ａ上に配置されている。この透明部材４１の下面には、ＩＴＯなどの透明な導電性材料からなる複数の透明な電極部１３〜１６が設けられている。この透明な電極部１３〜１６は、図１０に示すようにその各接続配線１３ａ〜１６ａが透明部材４１の６時側に導かれ、図１１に示すようにインターコネクタ４４によって回路基板７と電気的に接続されている。なお、この複数の電極部１３〜１６が接続された回路基板７の検出回路も、実施形態１と同じ回路構成になっている。
【００７５】
このような電子腕時計によれば、腕時計ケース１内に収納された時計モジュール４０が、静電容量の変化を検出する検出回路を有する回路基板７と、時刻などの情報を表示する表示パネル４２とを備え、腕時計ケース１に表示パネル４２を覆って保護する時計ガラス２を設け、この時計ガラス２と表示パネル４２との間に設けられた透明部材４１の下面に、複数の電極部１３〜１６を回路基板７と電気的に接続して設けているので、実施形態１と同様、複数の電極部１３〜１６に対応する箇所の時計ガラス２の外表面を指などの人体の一部で触れると、各電極部１３〜１６のうちのいずれかに静電容量が結合され、その静電容量の変化を回路基板７の検出回路で検出することによりタッチスイッチ信号を得ることができる。
【００７６】
この場合には、時計ガラス２と表示パネル４２との間に設けられた透明部材４１が透明なフィルムからなり、この透明なフィルムに、コンデンサの一方の電極である複数の電極部１３〜１６を設けているので、透明なフィルムとして、透明な電極部１３〜１６を形成しやすい材料を用いることにより、従来例のように時計ガラスの裏面に透明電極を形成する場合に比べて、透明な電極部１３〜１６を容易に形成することができる。また、透明部材４１に設けられた複数の電極部１３〜１６と回路基板７とをインターコネクタ４４によって接続しているので、複数の電極部１３〜１６と回路基板７とを容易に接続することができる。なお、複数の透明な電極部１３〜１６は、透明部材４１の下面に設ける必要はなく、透明部材４１の上面に設けても良い。
【００７７】
（実施形態４）
次に、図１２〜図１４を参照して、この発明を電子腕時計に適用した実施形態４について説明する。この場合には、図１０および図１１に示された実施形態３と同一部分に同一符号を付して説明する。
この電子腕時計は、図１３に示すように、腕時計ケース１の内部に収納された時計モジュール４０が液晶表示装置４６を備え、この液晶表示装置４６に静電容量検出用の複数の電極部１３〜１６を設けた構成で、これ以外は実施形態３とほぼ同じ構成なっている。
【００７８】
すなわち、この液晶表示装置４６は、図１４に示すように、上部ガラス４７と下部ガラス４８とを備え、上部ガラス４７の下面に透明なセグメント電極５０を配向膜５１で覆って設け、下部ガラス４８の上面に透明なコモン電極５２を配向膜５３で覆って設け、これらセグメント電極５０とコモン電極５２とを対向させた状態で、各配向膜５１、５３間に液晶５４を充填させてシール材５５で封止し、上部ガラス４７の上面に複数の透明な電極部１３〜１６を設けて上側偏光板５６を設け、下部ガラス４８の下面に下側偏光板５７を設けた構成になっている。
【００７９】
この液晶表示装置４６は、図１３に示すように、上部ハウジング５に組み込まれ、インターコネクタ４３によって回路基板７に電気的に接続されている。この場合、複数の電極１３〜１６は、ＩＴＯなどの透明な導電性材料からなり、その各接続配線１３ａ〜１６ａが、図１２に示すように、上部ガラス４７の６時側の側端面から下面に導かれ、図１３に示すように、その下面に導かれた端子部（図示せず）が液晶表示装置４６の各電極５０、５２と共にインターコネクタ４３によって回路基板７と電気的に接続されている。
【００８０】
このような電子腕時計によれば、腕時計ケース１内に収納された時計モジュール４０が、静電容量の変化を検出する検出回路を有する回路基板７と、情報を電気光学的に表示する液晶表示装置４６とを備え、腕時計ケース１に液晶表示装置４６を覆って保護する時計ガラス２が設けられ、液晶表示装置４６に透明な電極部１３〜１６を回路基板７と電気的に接続して設けているので、透明な電極部１３〜１６に対応する時計ガラス２の外表面に指などの人体の一部を接触させると、各電極部１３〜１６のうちのいずれかに静電容量が結合され、その静電容量の変化を回路基板７の検出回路で検出することにより、タッチスイッチ信号を得ることができる。
【００８１】
この場合にも、液晶表示装置４６にコンデンサの一方の電極である透明な電極部１３〜１６を設けているので、液晶表示装置４６のセグメント電極５０およびコモン電極５２を形成するときに、複数の透明な電極部１３〜１６をも同様に形成することができると共に、この液晶表示装置４６をインターコネクタ４３によって回路基板７と接続するときに、これと同時に液晶表示装置４６に設けられた複数の電極部１３〜１６をも回路基板７と電気的に接続することができる。
【００８２】
このため、液晶表示装置４６に静電容量検出用の複数の透明な電極部１３〜１６を容易に設けることができると共に、これら電極部１３〜１６を回路基板７に容易に接続することができ、これにより電極部１３〜１６の形成作業および接続作業の簡素化を図ることができる。また、この液晶表示装置４６に複数の透明な電極部１３〜１６を設けていることにより、腕時計ケース１の内面に設けられた鍔部１ａによって複数の透明な電極部１３〜１６と回路基板７との接続部分が時計ガラス２を通して腕時計ケース１の外部から見えないので、接続部分を隠す必要がなく、このため接続部分によって液晶表示装置６７の表示面積が制約を受けることがなく、十分な広さの表示面積を確保できる。
【００８３】
なお、上記実施形態４では、時計モジュール４０の上部ハウジング５に液晶表示装置４６を組み込んだ場合について述べたが、これに限らず、例えばＥＬ（エレクトロ・ルミネッセンス）素子、電子ペーパーなどの平面型の表示素子からなる表示パネルを組み込み、この表示パネルに複数の透明な電極部１３〜１６を設けた構成でも良い。このような構成でも、実施形態４と同様の作用効果がある。
【００８４】
（実施形態５）
次に、図１５および図１６を参照して、この発明を電子腕時計に適用した実施形態５について説明する。この場合にも、図１０および図１１に示された実施形態３と同一部分に同一符号を付して説明する。
この電子腕時計は、合成樹脂製の腕時計ケース１の上部に取り付けられた時計ガラス２の下側に見切り部材５７を配置し、この見切り部材５７の下面に電極部５８を設けた構成で、これ以外は実施形態３とほぼ同じ構成になっている。
【００８５】
この場合、見切り部材５７は、合成樹脂からなり、図１５に示すように、全体がリング状に形成され、図１６に示すように、時計ガラス２の下側に位置する腕時計ケース１の内周面に設けられた鍔部１ａ上に配置され、時計モジュール４０の表示パネル４２の周囲に対応するように構成されている。電極部５８は、図１６に示すように、見切り部材５７の下面に連続して設けられ、合成樹脂製の腕時計ケース１の鍔部１ａに設けられた貫通孔１ｂにコイルばねなどの接続部材５９が挿入され、この接続部材５９によって時計モジュール４０の回路基板７と電気的に接続されている。
【００８６】
これにより、図１６に示すように、この電極部５８に対応する箇所の時計ガラス２の外表面を指などの人体の一部で触ると、電極部５８に静電容量が結合されるように構成されている。なお、この電極部５８が接続された回路基板７の検出回路は、実施形態１の回路構成において、１つのコンデンサのみを備えた回路構成になっている。
【００８７】
このような電子腕時計によれば、腕時計ケース１内に収納された時計モジュール４０が、静電容量の変化を検出する検出回路を有する回路基板７と、情報を表示する表示パネル４２とを備え、この表示パネル４２の周囲に対応するリング状の見切り部材５７を時計ガラス２の下側に配置し、この見切り部材５７の下面に電極部５８を回路基板７と電気的に接続して設けているので、実施形態３と同様、電極部５８に対応する時計ガラス２の外表面に指などの人体の一部を接触させると、電極部５８に静電容量が結合され、その静電容量の変化を回路基板７の検出回路で検出することにより、タッチスイッチ信号を得ることができる。
【００８８】
この場合にも、見切り部材５７の下面に静電容量検出用の電極部５８を設けているので、従来例のように透明電極を時計ガラスの裏面に形成する場合に比べて、電極部５８を簡単に設けることができると共に、この電極部５８と回路基板７とを電気的に接続する際、コイルばねなどの接続部材５９によって容易に接続することができる。また、見切り部材５７の下面にコンデンサの一方の電極である電極部５８を設けているので、電極部５８と回路基板７との接続部分を見切り部材５７によって腕時計ケース１の外部から見えないように隠すことができ、このため接続部分によって時計モジュール４０の表示パネル４２の表示面積が制約を受けることがなく、十分な広さの表示面積を確保できる。
【００８９】
なお、上記実施形態５では、時刻などの情報を電気光学的に表示する表示パネル４２を有する時計モジュール４０を用い、この時計モジュール４０の表示パネル４２の周囲を囲むように見切り部材５７を設けた場合について述べたが、これに限らず、例えば図１〜図５に示した実施形態１およびその変形例、または図７〜図９に示した実施形態２およびその変形例のように、時計ガラス２の下側における時計ムーブメント１２を有する時計モジュール３の周囲に見切り部材１８を配置し、この見切り部材１８の下面に電極部５８を設けた構成でも良い。このような構成でも、実施形態５と同様の作用効果がある。
【００９０】
（実施形態６）
次に、図１７および図１８を参照して、この発明を電子腕時計に適用した実施形態６について説明する。この場合にも、図１０および図１１に示された実施形態３と同一部分に同一符号を付して説明する。
この電子腕時計は、腕時計ケース６０を合成樹脂製の内部ケース６１と金属製の外部ケース６２とで構成し、内部ケース６１の内周面に電極板６３を設けた構成で、これ以外は実施形態３とほぼ同じ構成になっている。
【００９１】
この場合、金属製の外部ケース６２の側壁部には、図１８に示すように、その内部から外部に貫通するスリット状の貫通孔６２ａが外周に沿って設けられており、合成樹脂製の内部ケース６１には、外部ケース６２のスリット状の貫通孔６２ａ内に挿入して外部に露出する突起部６１ａが設けられている。また、電極板６３は、内部ケース６１の内周面にその突起部６１ａに対応して配置され、フレキシブル配線基板６４によって時計モジュール４０の回路基板７と電気的に接続されている。
【００９２】
図１８に示すように、外部ケース６２の外部に露出する内部ケース６１の突起部６１ａの外表面を指などの人体の一部で触ると、電極板６３に静電容量が結合されるように構成されている。なお、この電極板６３が接続された回路基板７の検出回路は、実施形態１の回路構成において、１つのコンデンサのみを備えた回路構成になっている。
【００９３】
このような電子腕時計によれば、腕時計ケース６０が合成樹脂製の内部ケース６１と金属製の外部ケース６２とからなり、内部ケース６１の突起部６１ａが外部ケース６２の貫通孔６２ａに挿入されて外部に露出し、この腕時計ケース６０内に収納された時計モジュール４０が静電容量の変化を検出する検出回路を有する回路基板７を備え、内部ケース６１の内周面に電極板６３が回路基板７と電気的に接続されて設けられているので、外部ケース６２の外部に露出した内部ケース６１の突起部６１ａの外表面に指などの人体の一部を接触させると、電極板６３に静電容量が結合され、その静電容量の変化を回路基板７の検出回路で検出することにより、タッチスイッチ信号を得ることができる。
【００９４】
この場合にも、従来例のように透明電極を時計ガラスの裏面に形成する場合に比べて、電極を簡単に設けることができると共に、電極板６３と回路基板７とをフレキシブル配線基板６４によって容易に接続することができる。また、電極板６３と回路基板７との接続部分が時計モジュール４０によって時計ガラス２を通して外部から見えないので、接続部分を隠す必要がなく、このため接続部分によって時計モジュール４０の表示パネル４２の表示面積が制約を受けることがなく、十分な広さの表示面積を確保できる。
【００９５】
（実施形態７）
次に、図１９および図２０を参照して、この発明を電子腕時計に適用した実施形態７について説明する。この場合にも、図１０および図１１に示された実施形態３と同一部分に同一符号を付して説明する。
この電子腕時計は、腕時計ケース１の側壁部に設けられた押釦スイッチ６５と、時計モジュール４０の回路基板７との間に、タッチスイッチのコンデンサを形成した構成で、これ以外は実施形態３とほぼ同じ構成になっている。
【００９６】
すなわち、押釦スイッチ６５は、図２０に示すように、金属製の釦部６６が腕時計ケース１の側壁部に設けられえた貫通孔１ｃ内にコイルばね６７および防水リング６８を介して出没可能に挿入され、この釦部６６の内側端部に抜け止めリング６９が取り付けられ、時計モジュール４０の回路基板７に設けられた接触板（図示せず）を釦部６６の内端部が押圧したときに、接触板が回路基板７の接点部（図示せず）に接触し、スイッチ信号を出力するように構成されている。
【００９７】
また、押釦スイッチ６５の釦部６６が接触する回路基板７の接点部は、静電容量の変化を検出する検出回路に接続されていて、押釦スイッチ６５の釦部６６に、指などの人体の一部が触れて釦部６６に静電容量が結合されると、回路基板７の接点部に結合される静電容量が変化するように構成されている。この場合にも、回路基板７の検出回路は、実施形態１の回路構成において、１つのコンデンサのみを備えた回路構成になっている。
【００９８】
このような電子腕時計によれば、腕時計ケース１内に収納された時計モジュール６０が、静電容量の変化を検出する検出回路を有する回路基板７を備え、腕時計ケース１に設けられた押釦スイッチ６５に結合される静電容量の変化を回路基板７の検出回路で検出するので、押釦スイッチ６５の釦部６６に指などの人体の一部を接触させると、釦部６６が接触する回路基板７の接点部に静電容量が結合され、その静電容量の変化を検出回路で検出することにより、タッチスイッチ信号を得ることができる。このため、押釦スイッチ６５の押圧操作による通常のスイッチ信号と、押釦スイッチ６５のタッチ操作によるタッチスイッチ信号との２種類の電気信号を１つの押釦スイッチ６５で得ることができ、これにより多機能の押釦スイッチ６５を得ることができる。
【００９９】
この場合には、押釦スイッチ６５と回路基板７とが非接触状態なので、従来例のように透明電極を時計ガラスの裏面に形成する必要がないばかりか、従来例のように透明電極と検出素子とを電気的に接続する必要もなく、接続部品が不要であるから、接続構造が簡単で、組み立て作業も容易にでき、生産性の向上をも図ることができる。また、押釦スイッチ６５と回路基板７との接続部分が腕時計ケース１の外部から見えることがないので、接続部分によって時計モジュール４０の表示パネル４２の表示面積が制約を受けることがなく、十分な広さの表示面積を確保できる。
【０１００】
（実施形態８）
次に、図２１および図２２を参照して、この発明を電子腕時計に適用した実施形態８について説明する。この場合には、図１〜図４に示された実施形態１と同一部分に同一符号を付して説明する。
この電子腕時計は、腕時計ケース１の側壁部に設けられたリューズ７０と、時計モジュール３の回路基板７との間に、タッチスイッチのコンデンサを形成した構成で、これ以外は実施形態１とほぼ同じ構成になっている。
【０１０１】
この場合、リューズ７０は、金属で形成され、図２２に示すように、腕時計ケース１の外部から内部に挿入され、少し引き出した状態で回転させることにより、時計モジュール３に組み込まれた時計ムーブメント１２の指針軸１２ａを強制的に回転させて時刻を修正するように構成されている。また、このリューズ７０は、時計モジュール３の回路基板７に設けられた電極部（図示せず）に非接触状態で対応している。また、回路基板７の検出回路も、実施形態１の回路構成において、１つのコンデンサのみを備えた回路構成になっている。
【０１０２】
このような電子腕時計によれば、腕時計ケース１内に収納された時計モジュール３が、静電容量の変化を検出する検出回路を有する回路基板７を備え、腕時計ケース１に設けられたリューズ７０に結合される静電容量の変化を回路基板７の検出回路で検出するので、リューズ７０に指などの人体の一部を接触させると、回路基板７の電極部に静電容量が結合され、その静電容量の変化を回路基板７の検出回路で検出することにより、タッチスイッチ信号を得ることができる。このため、リューズ７０の回転操作によって時刻を修正することができるほか、リューズ７０のタッチ操作によってタッチスイッチ信号をも得ることができ、これにより多機能のリューズ７０を得ることができる。
【０１０３】
この場合にも、リューズ７０と回路基板７とが非接触状態で、リューズ７０と回路基板７との間にコンデンサを形成しているので、従来例のように透明電極を時計ガラスの裏面に形成する必要がないばかりか、従来例のように透明電極と検出素子とを電気的に接続する必要もなく、接続部品が不要であるから、接続構造が簡単で、組み立て作業も容易にでき、生産性の向上をも図ることができる。また、リューズ７０と回路基板７との接続部分が腕時計ケース１の外部から見えることがないので、その接続部分によって時計モジュール３の時計ムーブメント１２による時刻表示面積が制約を受けることがなく、十分な広さの表示面積を確保できる。
【０１０４】
（実施形態９）
次に、図２３および図２４を参照して、この発明を電子腕時計に適用した実施形態９について説明する。この場合には、図１０および図１１に示された実施形態３と同一部分に同一符号を付して説明する。
この電子腕時計は、腕時計ケース１を合成樹脂で形成し、この腕時計ケース１の外周部に合成樹脂製のベゼル７５を設け、このベゼル７５の内面に電極部７６を設けた構成で、これ以外は実施形態３とほぼ同じ構成になっている。
【０１０５】
この場合、電極部７６は、時計ガラス２の周囲に沿って２つに分割された状態でベゼル７５の内面に設けられ、腕時計ケース１に設けられた接続孔１ｄに挿入された接続配線７７によってそれぞれ時計モジュール４０の回路基板７と電気的に接続されている。この電極部７６は、これに対応する合成樹脂製のベゼル７５の外面との間に形成されるタッチスイッチのコンデンサの一方の電極を形成し、ベゼル７５の外面に指などの人体の一部が触れると、ベゼル７５の外面と電極部７６との間に静電容量が発生するように構成されている。この場合にも、回路基板７の検出回路は、実施形態１の回路構成において、２つのコンデンサを備えた回路構成になっている。
【０１０６】
このような電子腕時計によれば、合成樹脂製の腕時計ケース１内に収納された時計モジュール４０が、静電容量の変化を検出する検出回路を有する回路基板７を備え、腕時計ケース１の外周面に設けられた合成樹脂製のベゼル７５の内面に、静電容量検出用の電極部７６を回路基板７と電気的に接続して設けることにより、電極部７６に対応するベゼル７５の外面に指などの人体の一部を接触させると、電極部７６に静電容量が結合され、その静電容量の変化を回路基板７の検出回路で検出することにより、タッチスイッチ信号を得ることができる。
【０１０７】
この場合にも、腕時計ケース１の外面に設けられた合成樹脂製のベゼル７５の内面に、コンデンサの一方の電極である電極部７６を設けているので、従来例のように透明電極を時計ガラスの裏面に形成する場合に比べて、電極部７６を簡単に設けることができると共に、電極部７６と回路基板７とを電気的に接続する際、その両者を接続配線７７によって容易に接続することができる。また、電極部７６と回路基板７との接続部分をベゼル７５によって外部から見えないように隠すことができるので、接続部分によって時計モジュール４０の表示パネル４２の表示面積が制約を受けることがなく、十分な広さの表示面積を確保できる。
【０１０８】
（実施形態１０）
次に、図２５を参照して、この発明を電子腕時計に適用した実施形態１０について説明する。この場合には、図１〜図４に示された実施形態１と同一部分に同一符号を付して説明する。
この電子腕時計は、腕時計ケース１の１２時側と６時側とにそれぞれ合成樹脂製の時計バンド８０を一体的に取り付け、この時計バンド８０の一方、つまり腕時計ケース１の６時側に取り付けられた時計バンド８０に電極部８１をインサート成形によって埋め込んだ構成で、これ以外は実施形態１とほぼ同じ構成になっている。
【０１０９】
この場合、電極部８１は、その接続配線８１ａが時計バンド８０中から腕時計ケース１内に導かれて時計モジュール３の回路基板７と電気的に接続されている。電極部８１に対応する時計バンド８０の表面に指などの人体の一部が触れると、電極部８１に静電容量が結合されるように構成されている。この場合にも、回路基板７の検出回路は、実施形態１の回路構成において、１つのコンデンサのみを備えた回路構成になっている。
【０１１０】
このような電子腕時計によれば、腕時計ケース１内に収納された時計モジュール３が、静電容量の変化を検出する検出回路を有する回路基板７を備え、腕時計ケース１に取り付けられた合成樹脂製の時計バンド８０に、電極部８１を回路基板７と電気的に接続させて埋め込んだので、電極部８１に対応する時計バンド８０の表面に指などの人体の一部を接触させると、電極部８１に静電容量が結合され、その静電容量の変化を回路基板７の検出回路で検出することにより、タッチスイッチ信号を得ることができる。
【０１１１】
この場合にも、時計バンド８０に電極部８１をインサート成形によって設けているので、従来例のように透明電極を時計ガラスの裏面に形成する場合に比べて、電極部８１を簡単に設けることができる。また、時計バンド８０が腕時計ケース１に一体的に取り付けられているので、電極部８１と時計モジュール３の回路基板７との接続部分が腕時計ケース１の外部から見えることがない。このため、接続部分を隠す必要がないので、接続部分によって時計モジュール３の時計ムーブメント１２による時刻表示面積が制約を受けることがなく、十分な広さの表示面積を確保できる。
【０１１２】
（実施形態１１）
次に、図２６を参照して、この発明を電子腕時計に適用した実施形態１１について説明する。この場合には、図２５に示された実施形態１０と同一部分に同一符号を付して説明する。
この電子腕時計は、腕時計ケース１の１２時側と６時側とに一体的に取り付けられた合成樹脂製の時計バンド８０の端部に金属製の尾錠８５を取り付け、この尾錠８５が取り付けられた時計バンド８０中に、尾錠８５から腕時計ケース１に亘って電極線８６をインサート成形によって埋め込んだ構成で、これ以外は実施形態１０とほぼ同じ構成になっている。
【０１１３】
この場合、電極線８６は、その一端部が腕時計ケース１内に延設され、この延設された一端部が、腕時計ケース１内に収納された時計モジュール３の回路基板７の電極部（図示せず）に接触することなく、離れた状態で対向して配置されている。そして、金属製の尾錠８５は、これに指などの人体の一部が触れると静電容量が結合され、それによって、回路基板７の電極部に結合される静電容量が変化するように構成されている。この場合にも、回路基板７の検出回路は、実施形態１０と同じ回路構成になっている。
【０１１４】
このような電子腕時計によれば、腕時計ケース１内に収納された時計モジュール３が、静電容量の変化を検出する検出回路を有する回路基板７を備え、腕時計ケース１に取り付けられた合成樹脂製の時計バンド８０に金属製の尾錠８５を取り付け、この尾錠８５に接続された電極線８６を時計バンド８０中に埋設し、この尾錠８５に結合される静電容量の変化を回路基板７の検出回路が検出するので、尾錠８５に指などの人体の一部を接触させると、回路基板７の電極部に結合される静電容量の変化を回路基板７の検出回路で検出することにより、タッチスイッチ信号を得ることができる。
【０１１５】
この場合にも、尾錠８５の電極線８６と回路基板７の電極部とが非接触状態なので、従来例のような接続部品が不要であるから、接続構造が簡単で、組み立て作業も容易にでき、生産性の向上をも図ることができる。また、尾錠８５の電極線８６の端部と回路基板７の電極部との接続部分がないので、接続部分による時計モジュール３の時計ムーブメント１２による時刻表示面積が制約を受けることがなく、十分な広さの表示面積を確保できる。
【０１１６】
なお、上記実施形態１０および１１では、時計モジュール３が時計ムーブメント１２を備えている場合について述べたが、これに限らず、図１０および図１１に示した実施形態３と同様、時刻などの情報を電気光学的に表示する表示パネル４２を備えた時計モジュール４０を用いても良い。このような構成でも、実施形態１０および１１と同様の作用効果がある。
【０１１７】
また、上記実施形態１〜１１およびその各変形例では、回路基板７の検出回路が常に動作するように構成されている場合について述べたが、これに限らず、例えば腕時計ケース１内に傾斜スイッチを設けたり、また裏蓋４に感圧スイッチを設けたりすることにより、腕時計ケース１を腕に取り付けて使用するときにのみ、回路基板７の検出回路が動作するように構成することが望ましい。このように構成すれば、検出回路の消費電力を大幅に軽減することができる。
【０１１８】
更に、上記実施形態１〜１１およびその各変形例では、電子腕時計に適用した場合について述べたが、必ずしも電子腕時計である必要はなく、トラベルウオッチ、目覚まし時計、置き時計、掛け時計などの電子時計にも適用することができるほか、これに限らず、携帯電話機、ＰＤＡ（パーソナル・デジタル・アシスタント）などの各種の電子機器に広く適用することができる。
【図面の簡単な説明】
【０１１９】
【図１】この発明を適用した電子腕時計の拡大正面図である。（実施形態１）
【図２】図１のＡ−Ａ矢視における拡大断面図である。
【図３】図２の文字板を示した拡大断面図である。
【図４】図１および図２のタッチスイッチの回路構成を示した図である。
【図５】実施形態１の文字板の変形例を示した拡大断面図である。
【図６】この発明を適用した電子腕時計の拡大正面図である。（実施形態２）
【図７】図６のＢ−Ｂ矢視における拡大断面図である。
【図８】図７の文字板を示した拡大断面図である。
【図９】実施形態２の文字板の変形例を示した拡大断面図である。
【図１０】この発明を適用した電子腕時計の拡大正面図である。（実施形態３）
【図１１】図１０のＣ−Ｃ矢視における拡大断面図である。
【図１２】この発明を適用した電子腕時計の拡大正面図である。（実施形態４）
【図１３】図１２のＤ−Ｄ矢視における拡大断面図である。
【図１４】図１３の液晶表示装置を示した拡大断面図である。
【図１５】この発明を適用した電子腕時計の拡大正面図である。（実施形態５）
【図１６】図１５のＥ−Ｅ矢視における拡大断面図である。
【図１７】この発明を適用した電子腕時計の拡大正面図である。（実施形態６）
【図１８】図１７のＦ−Ｆ矢視における拡大断面図である。
【図１９】この発明を適用した電子腕時計の拡大正面図である。（実施形態７）
【図２０】図１９のＧ−Ｇ矢視における拡大断面図である。
【図２１】この発明を適用した電子腕時計の拡大正面図である。（実施形態８）
【図２２】図２１のＨ−Ｈ矢視における拡大断面図である。
【図２３】この発明を適用した電子腕時計の拡大正面図である。（実施形態９）
【図２４】図２３のＩ−Ｉ矢視における拡大断面図である。
【図２５】この発明を適用した電子腕時計の正面図である。（実施形態１０）
【図２６】この発明を適用した電子腕時計の正面図である。（実施形態１１）
【符号の説明】
【０１２０】
１、６０  腕時計ケース
２  時計ガラス
３、４０  時計モジュール
７  回路基板
９  検出素子
１０、４２  表示パネル
１１、３０  文字板
１２  時計ムーブメント
１３〜１６、５８、７６、８１  電極部
１７、４３、４４  インターコネクタ
２１〜２４  ＣＲ発振回路
２５  カウンタ
２６  タイマー
２７  制御回路
３１  太陽電池素子
４１  透明部材
４６  液晶表示装置
５７  見切り部材
６１  内部ケース
６１ａ  突起部
６２  外部ケース
６３  電極板
６５  押釦スイッチ
６６  釦部
７０  リューズ
７５  ベゼル
８０  時計バンド
８５  尾錠
８６  電極線
Ｃ１〜Ｃ４  コンデンサ
【図１】
2007170995.tif 000003
【図２】
2007170995.tif 000004
【図３】
2007170995.tif 000005
【図４】
2007170995.tif 000006
【図５】
2007170995.tif 000007
【図６】
2007170995.tif 000008
【図７】
2007170995.tif 000009
【図８】
2007170995.tif 000010
【図９】
2007170995.tif 000011
【図１０】
2007170995.tif 000012
【図１１】
2007170995.tif 000013
【図１２】
2007170995.tif 000014
【図１３】
2007170995.tif 000015
【図１４】
2007170995.tif 000016
【図１５】
2007170995.tif 000017
【図１６】
2007170995.tif 000018
【図１７】
2007170995.tif 000019
【図１８】
2007170995.tif 000020
【図１９】
2007170995.tif 000021
【図２０】
2007170995.tif 000022
【図２１】
2007170995.tif 000023
【図２２】
2007170995.tif 000024
【図２３】
2007170995.tif 000025
【図２４】
2007170995.tif 000026
【図２５】
2007170995.tif 000027
【図２６】
2007170995.tif 000028